(57)【特許請求の範囲】
【請求項１】
画像メモリと、この画像メモリに係るデータを通信手段を介して授受する通信部と、前記画像メモリに記憶された画像データを記録する記録部と、原稿画像を読み取る画像読み取り部とを備える通信端末装置において、
前記画像メモリと前記通信部間で前記画像メモリに係るデータを符号化／復合化する通信用の第１のコーデイックと、前記記録部で記録する画像データ及び前記画像読み取り部で読み取った画像データを記憶するイメージメモリと、前記画像メモリと前記イメージメモリ間でデータを符号化／復合化する、前記通信用の第１のコーデイックとは異なる第２のコーデイックと、前記画像メモリに記憶する文字コードをイメージに変換する手段と、この変換されたデータを前記第１、第２のコーデイックを介さずに、前記イメージメモリに転送する手段と、を備え、前記記録部で記録する画像データを前記画像メモリから前記転送手段を経て前記イメージメモリに転送中に、前記画像読み取り部で読み取った原稿を、前記第２のコーデイックで符号化し、前記画像メモリに蓄積する処理を行うことを特徴とする通信端末装置。
【請求項２】
前記イメージへの変換は、拡大処理を含むものであり、かつこの拡大処理は、文字フオントテーブルと拡大テーブルにより行うことを特徴とする請求項１記載の通信端末装置。
【発明の詳細な説明】
【０００１】
【発明の属する技術分野】
この発明は、ファクシミリ装置、ファックス機能・複写機能などの多機能を有する複合機などの通信端末装置に関する。
【０００２】
【従来の技術】
一般に、ファクシミリ装置などの通信端末装置では、画像読み取り部で原稿を読み取る機能、読み取った原稿や記憶しているデータを送信し、あるいは受信する通信機能、読み取り原稿や受信データ等をプリントする機能を備えている。
【０００３】
【発明が解決しようとする課題】
上記した画像読み取り機能、通信機能、プリント機能を有するファクシミリ装置において、処理の迅速化から、これら複数の処理を同時に並行して動作させたい、との要望が出ている。これらの要望に応じるためには、画像読み取り、通信処理及びプリント処理のために、各々に符号化用のコーディック（ＣＯＤＥＣ）を設けることになる。しかし、少なくとも３つの異なる機能を同時に実行させるために、少なくとも３個のコーディックを設けることは、装置のコスト高をまねくという問題がある。
【０００４】
この発明は上記問題点に着目してなされたものであって、コスト高となるのを抑えて、しかも複数処理を同時並列的に実行し得る通信端末装置を提供することを目的としている。
【０００５】
【課題を解決するための手段】
この発明の通信端末装置は、画像メモリと、この画像メモリに係るデータを通信手段を介して授受する通信部と、前記画像メモリに記憶された画像データを記録する記録部と、原稿画像を読み取る画像読み取り部とを備えるものにおいて、前記画像メモリと前記通信部間で前記画像メモリに係るデータを符号化／復合化する通信用の第１のコーデイックと、前記記録部で記録する画像データ及び前記画像読み取り部で読み取った画像データを記憶するイメージメモリと、前記画像メモリと前記イメージメモリ間でデータを符号化／復合化する、前記通信用の第１のコーデイックとは異なる第２のコーデイックと、前記画像メモリに記憶する文字コードをイメージに変換する手段と、この変換されたデータを前記第１、第２のコーデイックを介さずに、前記イメージメモリに転送する手段と、を備え、前記記録部で記録する画像データを前記画像メモリから前記転送手段を経て前記イメージメモリに転送中に、前記画像読み取り部で読み取った原稿を、前記第２のコーデイックで符号化し、前記画像メモリに蓄積する処理を行うことを特徴とする。
【０００６】
この発明の通信端末装置は、例えばリストプリントする場合、文字コードを拡大処理してイメージ変換し、コーデイックを介さずに、例えばＤＭＡあるいはプログラムによる転送手段で、イメージメモリに転送し、そのイメージデータを記録部にてリストプリントする。また、前記原稿読み取り部で読み取った原稿を、前記第２のコーデイックで符号化し、前記画像メモリに蓄積処理する。
【０００７】
また、この発明の通信端末装置においては、前記した、例えばリストプリント中に、別に画像読み取り部で読み取った原稿をイメージメモリから、第２のコーデイックを経て、画像メモリに記憶することにより、リストプリントと原稿画像読み取りを並行処理できる。
【０００８】
【発明の実施の形態】
以下、実施の形態により、この発明をさらに詳細に説明する。図１は、この発明が実施されるファクシミリ装置の構成を示すブロック図である。このファクシミリ装置は、ＣＰＵ（制御部）１、ＮＣＵ２、ＭＯＤＥＭ３、ＲＯＭ４、ＳＲＡＭ５、画像メモリ（ＳＤＲＡＭ）６、操作部７、プリンタ／スキャナ用のＣＯＤＥＣ８、通信用のＣＯＤＥＣ９、ＤＭＡ１０、ＣＣＤスキャナ１１、スキャナ処理部１２、イメージメモリ（ＳＤＲＡＭ）１３、画像処理部１４、プリンタ制御部１５、ＬＥＤプリンタ１６、バス１７、表示部１８を備える。
【０００９】
ＣＰＵ１は、この装置を構成する各部を制御する。ＮＣＵ２は、電話回線網（ＰＳＴＮ）１８との接続を制御するとともに、相手先の電話番号（ＦＡＸ番号を含む）に対応したダイヤル信号を送出する機能及び着信を検出するための機能を備えている。ＭＯＤＥＭ３は、ＩＴＵ（国際電気通信連合）−Ｔ勧告Ｔ．３０に従ったファクシミリ伝送制御手順に基づいて、Ｖ．１７、Ｖ．２７ｔｅｒ、Ｖ．２９に従った送信データの変調及び受信データの復調を行う。更に、これらに加えて、Ｖ．３４に従って送信データの変調及び受信データの復調を行う。
【００１０】
ＲＯＭ４は、この装置を制御するためのプログラム、文字フォントデータ等を記憶する。ＳＲＡＭ５は、データ等を一時的に記憶する。画像メモリ（ＳＤＲＡＭ）６は、ＥＣＭバッファ、画像記憶部、フォントイメージバッファ等の記憶領域を有し、画像データを格納する。操作部７は、ユーザがＦＡＸ送信・受信、プリント、画像読み取り等の指示操作を行う。プリンタ／スキャナ用のＣＯＤＥＣ８は、画像データをプリントする場合、あるいは読み取ったがデータを画像メモリ６に格納する場合に、ＭＨ、ＭＲ、ＭＭＲ方式等により、符号化（エンコード）する。通信用のＣＯＤＥＣ９は、画データを送信するためにＭＨ、ＭＲ、ＭＭＲ方式等により符号化し、受信画データを復号（デコード）する。ＤＭＡ１０は、画像メモリ６よりのイメージデータをＣＯＤＥＣ８、ＣＯＤＥＣ９を経ないで転送するために設けている。ＣＣＤスキャナ１１は、ＦＡＸ送信するとき、あるいは複写するときに、原稿の画データを読み取る。スキャナ処理部１２は、ＣＣＤスキャナ１１で読み取られた原稿を画像処理し、イメージメモリ１３、画像メモリ６に記憶させる。
【００１１】
イメージメモリ１３は、ＣＣＤスキャナ１１で読み取られた画像、画像メモリ６から伝送を受けたイメージデータを記憶する。画像処理部１４は、スキャナ制御部１２、イメージメモリ１３、プリンタ制御部１５間、及びバス１７に接続される各部間に係る画像処理を行う。プリンタ制御部１５は、ＬＥＤプリンタ１６のプリント制御を実行する。表示部１８は、キーボタン等の指令情報や警告情報、その他の情報を表示する。
【００１２】
ここで、この実施形態ファクシミリ装置において、リストプリントと原稿画像の読み取り蓄積の同時処理について、説明する。リストプリントは、図２に示す処理により、先ず、ステップＳＴ１１において、画像メモリ６の画像記憶部に格納されているテキストの１行（８０文字）分を読み出し、ＲＯＭ４に格納される通常のフォントテーブルを参照してイメージに展開し、フォントイメージバッファに格納する。そのイメージ例を図３の（ａ）に示す。ここでのイメージ文字は小さい。次に、ステップＳＴ２へ移行する。フォントテーブルの一例を図５に示す。これは文字Ａのフォントテーブルであり、８ビットのイメージを読み出し、フォントイメージバッファに格納する。
【００１３】
ステップＳＴ２においては、上記イメージの１ライン分を読み出し、拡大テーブルを使用し、１バイトを６バイトのイメージに拡大し、イメージバッファに格納する。そして、ステップＳＴ３へ移行する。ステップＳＴ３においては、１６ライン分が終了したか否かを判定する。１６ライン分の処理を終了すれば、ステップＳＴ４へ移行する。一方、まだ１６ライン分の処理が終了していなければ、ステップＳＴ２へ戻り、１６ライン分の処理が終了するまで、処理ラインを１つずつ進めながら、ステップＳＴ２、ＳＴ３の処理を繰り返す。１６ライン分の処理が終了すると、文字のイメージは横幅だけ６倍され、例えば図３の（ａ）から、図３の（ｂ）に拡大される。図５に示すフォントテーブルを６倍に拡大したものを図６に示す。このテーブルがＲＯＭ４に格納されていると、文字Ａについては、図６に示すイメージデータが変換データとしてフォントイメージバッファに記憶されることになる。
【００１４】
ステップＳＴ４においては、拡大した各１ラインをＤＭＡ１０を介して、イメージメモリ１３に６回連続して転送する。そして、ステップＳＴ５へ移行する。ステップＳＴ５においては、１６ライン分の転送が終了したか否かを判定する。１６ライン分の転送が終了していると、テキスト１行分のイメージ拡大変換処理が終了する。一方、１６ライン分の処理が終了していないと、ステップＳＴ４へ戻り、１６ライン分の処理が終了するまで、処理ライを１つずつ勧めながら、ステップＳＴ４、ＳＴ５の処理を繰り返す。１６ライン分の処理が終了すると、文字イメージが図３の（ａ）から縦横とも６倍され、イメージメモリ１３に記憶される。このようにして、イメージメモリ１３に転送されたリストデータは、画像処理部１４、プリンタ制御部１５を経て、ＬＥＤプリンタ１６に与えられ、プリントされる。
【００１５】
このリストプリントの処理動作中に、ＣＣＤスキャナ１１で原稿が読み取られると、その原稿画像がスキャナ処理部１２、画像処理部１４を経て、イメージメモリ１３に記憶され、更に画像処理部１４より、プリンタ／スキャナ用のＣＯＤＥＣ８に入力され、符号化され、画像メモリ６の画像記憶部に蓄積される。このようにして、リストプリントと原稿画像読み取りが並行処理される。図４に、リストプリント時のデータの流れと、原稿画像読み取りのデータの流れを示している。図４において、実線Ａのルートがリストプリント、破線Ｂのルートが原稿画像読み取りのデータの流れ経路である。
【００１６】
なお、この実施形態ファクシミリ装置において、ファックス送信を行う場合は、画像メモリ５中の画像データを通信用のＣＯＤＥＣ９で符号化し、ＭＯＤＥＭ３、ＮＣＵ２を介して送出する。
【００１７】
また、ＤＭＡ１０を介してイメージデータを転送する代わりに、ソフトウェアにより、直接転送しても良い。
【００１８】
ここでは、／の左側が拡大前のフォント（図５のフォント）データを示し、／の右が拡大データである。
【００１９】
例えば、図５の３ライン目のデータであれば‘０００１１１００’であり、１６進で０ｘ１Ｃであるので、これをアドレスとして、図７の６倍パターンテーブルを参照する。このテーブルには、０００１１１００の各ビットを６倍した結果のデータ０ｘ００００、０ｘ３ＦＦＦ、０ｘＦＦＦＦが格納されている。
【００２０】
このように、文字にかかわらず、文字を構成する要素パターン（２５６パターン）各々について６倍データを持つだけであるので、格納用ＲＯＭ容量を多く必要としない。
【００２１】
【発明の効果】
この発明によれば、前記通信用のコーディックと、記録部で記録する画像データを記憶するイメージメモリと、前記画像メモリに記憶する文字コードをイメージに変換する手段と、この変換されたデータを前記コーディックを介さずに、前記イメージメモリに転送する手段と、を備えているので、コーディックをそれぞれプリント処理、通信処理、画像読み取り処理に応じて設ける必要がなく、コストアップを軽減して、プリント処理、通信処理、画像読み取り処理を並行して実行できる。
【００２２】
また、画像メモリと前記通信部間で前記画像メモリに係るデータを符号化／復合化する通信用の第１のコーデイックと、前記記録部で記録する画像データ及び前記画像読み取り部で読み取った画像データを記憶するイメージメモリと、前記画像メモリと前記イメージメモリ間でデータを符号化／復合化する、前記通信用の第１のコーデイックとは異なる第２のコーデイックと、前記画像メモリに記憶する文字コードをイメージに変換する手段と、この変換されたデータを前記第１、第２のコーデイックを介さずに、前記イメージメモリに転送する手段と、を備え、前記記録部で記録する画像データを前記画像メモリから前記転送手段を経て前記イメージメモリに転送中に、前記画像読み取り部で読み取った原稿を、前記第２のコーデイックで符号化し、前記画像メモリに蓄積する処理を行うようにすることにより、例えばリストプリントと原稿画像読み取りを並行処理できる。
【００２３】
また、拡大処理は、文字フォントテーブルと拡大テーブルを用いて行うので、フォントテーブル格納用のメモリの容量をそれほど多くすることなく、イメージ拡大できる。
【図面の簡単な説明】
【図１】この発明の一実施形態であるファクシミリ装置の構成を示すブロック図である。
【図２】同実施形態ファクシミリ装置の画像メモリでのテキスト文字イメージ拡大変換処理を説明するフロー図である。
【図３】同テキスト文字のイメージ拡大変換の例を示す図である。
【図４】上記実施形態ファクシミリ装置におけるリストプリント時と原稿画像読み取り時のデータの流れ経路を示す図である。
【図５】同実施形態ファクシミリ装置の基本文字フォントテーブルの一例を示す図である。
【図６】同基本文字フォントテーブルのイメージを拡大した拡大フォントテーブルの一例を示す図である。
【図７】拡大フォントテーブルの他の例を示す図である。
【符号の説明】
１      ＣＰＵ
２      ＮＣＵ
３      ＭＯＤＥＭ
４      ＲＯＭ
５      ＳＲＡＭ
６      画像メモリ
７      操作部
８      プリンタ／スキャナ用のＣＯＤＥＣ
９      通信用のＣＯＤＥＣ
１０    ＤＭＡ
１１    ＣＣＤスキャナ
１２    スキャナ処理部
１３    イメージメモリ
１４    画像処理部
１５    プリンタ制御部
１６    ＬＥＤプリンタ
１７    バス
１８    表示部
１９    電話回線
【図１】
0003767482.tif 000002
【図２】
0003767482.tif 000003
【図３】
0003767482.tif 000004
【図４】
0003767482.tif 000005
【図５】
0003767482.tif 000006
【図６】
0003767482.tif 000007
【図７】
0003767482.tif 000008